(57)【要約】【課題】コストを低くすることができ、カードが不正に使用された場合にカードを回収することができるようにする。【解決手段】カードを挿入し、通過させるためのスロットと、カードに記録されたデータを読み出すためのヘッド部と、カードが不正に使用されているかどうかを判断するカード不正使用判断処理手段と、スロット上の所定の位置に配設され、不正に使用されていると判断されたカードの使用を阻止するカード使用阻止部とを有する。スロット上の所定の位置にカード使用阻止部が配設されるので、不正に使用されていると判断されたカードが使用されるのを阻止することができる。【選択図】図１
2011039980.tif 000002
【特許請求の範囲】
【請求項１】
（ａ）カードを挿入し、通過させるためのスロットと、
（ｂ）カードに記録されたデータを読み出すためのヘッド部と、
（ｃ）カードが不正に使用されているかどうかを判断するカード不正使用判断処理手段と、
（ｄ）前記スロット上の所定の位置に配設され、不正に使用されていると判断されたカードの使用を阻止するカード使用阻止部とを有することを特徴とするカード読取装置。
【請求項２】
前記カード使用阻止部は、カードを固定する固定装置である請求項１に記載のカード読取装置。
【請求項３】
前記カード使用阻止部は、カードに穴を開けるパンチ機構である請求項１に記載のカード読取装置。
【請求項４】
カードから読み出されたデータの読出情報に基づいて、カードがカード使用阻止部に到達したかどうかを判断し、カードがカード使用阻止部に到達した場合に、カード使用阻止部を作動させるカード使用阻止処理手段を有する請求項１に記載のカード読取装置。
【請求項５】
（ａ）スロット上の所定の位置に配設され、カードを検出するカード検出部と、
（ｂ）カードが検出されているかどうかに基づいてカードの状態を判断するカード状態判断処理手段とを有する請求項１に記載のカード読取装置。
【発明の詳細な説明】
【技術分野】
【０００１】
本発明は、カード読取装置に関するものである。
【背景技術】
【０００２】
従来、カード、例えば、磁気カードからデータを読み取るためのカード読取装置、例えば、銀行のＡＴＭのような自走式のカード読取装置においては、利用者が磁気カードをカード挿入口に挿入すると、自動で磁気カードが取り込まれ、データが読み取られた後、前記カード挿入口に磁気カードが排出されるようになっている。そして、盗難カード等の磁気カードが認識されたり、誤った暗証番号が規定の回数連続して入力されたりして磁気カードが不正に使用されると、磁気カードは排出されず、装置内に回収される。したがって、磁気カードが不正に使用されるのを阻止することができる。
【０００３】
ところが、この種のカード読取装置においては、磁気カードの搬送機構が複雑な構造を有するので、装置のコストが高くなってしまう。
【０００４】
そこで、スワイプ式のカード読取装置が提供されている。該カード読取装置においては、手動で磁気カードをスリットに挿入し、横方向にスライドさせると、データが読み取られるようになっている。この場合、磁気カードの搬送機構が不要になるので、コストを前記自走式のカード読取装置の１／５程度に低くすることができる（例えば、特許文献１参照。）。
【先行技術文献】
【特許文献】
【０００５】
【特許文献１】特開２００７−２７２９４７号公報
【発明の概要】
【発明が解決しようとする課題】
【０００６】
しかしながら、前記従来のスワイプ式のカード読取装置においては、磁気カードが不正に使用されても磁気カードをカード読取装置内に回収することができず、磁気カードが不正に使用されるのを阻止することができない。
【０００７】
本発明は、前記従来のカード読取装置の問題点を解決して、コストを低くすることができ、カードが不正に使用された場合にカードを回収することができるカード読取装置を提供することを目的とする。
【課題を解決するための手段】
【０００８】
そのために、本発明のカード読取装置においては、カードを挿入し、通過させるためのスロットと、カードに記録されたデータを読み出すためのヘッド部と、カードが不正に使用されているかどうかを判断するカード不正使用判断処理手段と、前記スロット上の所定の位置に配設され、不正に使用されていると判断されたカードの使用を阻止するカード使用阻止部とを有する。
【発明の効果】
【０００９】
本発明によれば、カード読取装置においては、カードを挿入し、通過させるためのスロットと、カードに記録されたデータを読み出すためのヘッド部と、カードが不正に使用されているかどうかを判断するカード不正使用判断処理手段と、前記スロット上の所定の位置に配設され、不正に使用されていると判断されたカードの使用を阻止するカード使用阻止部とを有する。
【００１０】
この場合、スロット上の所定の位置にカード使用阻止部が配設されるので、不正に使用されていると判断されたカードが使用されるのを阻止することができる。
【図面の簡単な説明】
【００１１】
【図１】本発明の第１の実施の形態におけるカード読取装置の制御ブロック図である。
【図２】本発明の第１の実施の形態におけるカード読取装置の動作を示す正面図である。
【図３】本発明の第１の実施の形態におけるカード読取装置の動作を示す平面図である。
【図４】本発明の第１の実施の形態におけるカード読取装置の動作を示す側面図である。
【図５】本発明の第１の実施の形態における突当部を示す図である。
【図６】本発明の第１の実施の形態におけるカード読取装置の動作を示す第１のフローチャートである。
【図７】本発明の第１の実施の形態におけるカード読取装置の動作を示す第２のフローチャートである。
【図８】本発明の第１の実施の形態におけるカード読取装置の第１の状態を示す正面図である。
【図９】本発明の第１の実施の形態におけるカード読取装置の第１の状態を示す平面図である。
【図１０】本発明の第１の実施の形態におけるカード読取装置の第１の状態を示す側面図である。
【図１１】本発明の第１の実施の形態におけるカード読取装置の第２の状態を示す正面図である。
【図１２】本発明の第１の実施の形態におけるカード読取装置の第２の状態を示す平面図である。
【図１３】本発明の第１の実施の形態におけるカード読取装置の第２の状態を示す側面図である。
【図１４】本発明の第２の実施の形態におけるカード読取装置の制御ブロック図である。
【図１５】本発明の第２の実施の形態におけるカード読取装置の動作を示す第１のフローチャートである。
【図１６】本発明の第２の実施の形態におけるカード読取装置の動作を示す第２のフローチャートである。
【発明を実施するための形態】
【００１２】
以下、本発明の実施の形態について図面を参照しながら詳細に説明する。この場合、カード読取装置として、スワイプ式のカード読取装置について説明する。
【００１３】
図２は本発明の第１の実施の形態におけるカード読取装置の動作を示す正面図、図３は本発明の第１の実施の形態におけるカード読取装置の動作を示す平面図、図４は本発明の第１の実施の形態におけるカード読取装置の動作を示す側面図、図５は本発明の第１の実施の形態における突当部を示す図である。
【００１４】
図において、２１はカードとしての磁気カードであり、該磁気カード２１の裏面ｓ１における一辺の近傍に情報記録部としての磁気ストライプ２１ａが形成され、該磁気ストライプ２１ａに各種の情報であるデータ（磁気データ）が記録される。
【００１５】
また、１０はカード読取装置であり、該カード読取装置１０には、磁気カード２１を矢印方向に通過させる際のガイドとなるスロット１７が形成される。該スロット１７は、底部１７ａ、及び該底部１７ａから平行に立ち上げて形成された二つの壁部１７ｂ、１７ｃによって形成される。前記スロット１７の幅は、磁気カード２１をスロット１７内を円滑に通過させることができるように、カード２１の厚さより所定の量だけ広くされる。なお、前記壁部１７ｃによって、磁気カード２１を固定するための被突当部が構成される。
【００１６】
そして、前記カード読取装置１０には、スロット１７の長手方向におけるほぼ中央に、前記データを磁気ストライプ２１ａから読み出すためのヘッド部としての磁気ヘッド１１が配設される。該磁気ヘッド１１は、一方の壁部１７ｂ側に、他方の壁部１７ｃと対向させて、進退自在に、かつ、図示されない付勢部材としてのスプリングによって壁部１７ｃに向けて付勢させて配設される。本実施の形態において、磁気ヘッド１１は、磁気ストライプ２１ａからデータを読み出すための読出部として機能するが、データを磁気ストライプ２１ａに書き込むための書込部としても機能させることができる。
【００１７】
この場合、利用者が、手動で磁気カード２１をスリット１７に挿入し、横方向に通過させると、データが読み出されるようになっているので、磁気カード２１の搬送機構が不要になる。したがって、カード読取装置１０のコストを自走式のカード読取装置の１／５程度に低くすることができる。
【００１８】
そして、前記カード読取装置１０には、磁気カード２１の通過方向（移動方向）における磁気ヘッド１１より下流側に、磁気ヘッド１１に隣接させて固定装置としての突当機構Ｍが配設される。該突当機構Ｍは、一方の壁部１７ｂ側に、他方の壁部１７ｃと対向させて進退自在に配設された突当部１４、及び該突当部１４を進退させる駆動部１５を備える。該駆動部１５は、ソレノイド、モータ等から成り、駆動軸７１を備え、該駆動軸７１の先端に前記突当部１４が取り付けられ、突当部１４は、前記駆動部１５が駆動されるのに伴って、前進位置を表す突当位置及び後退位置を表す退避位置を採る。なお、前記突当機構Ｍによって、不正に使用されていると判断された磁気カード２１の使用を阻止するカード使用阻止部が構成される。
【００１９】
前記突当部１４は、退避位置において、図３及び４に示されるように前端が壁部１７ｂより手前側に置かれ、突当位置において、スロット１７内を通過させられる磁気カード２１を壁部１７ｃに押し付けて固定し、カード読取装置１０から磁気カード２１が外れないようにする。また、前記突当部１４は、磁気カード２１と接触する接触部としての磁気カード接触面１４ａ、及び該磁気カード接触面１４ａを支持する支持部としてのコアブロック１４ｂを備える。前記磁気カード接触面１４ａは、突当位置において突当部１４を効率よく磁気カード２１に突き当て、磁気カード２１を固定することができるように、摩擦係数の高い材料、本実施の形態においては、ゴムによって形成され、前記コアブロック１４ｂは樹脂材によって形成される。
【００２０】
次に、前記構成のカード読取装置１０の制御装置について説明する。
【００２１】
図１は本発明の第１の実施の形態におけるカード読取装置の制御ブロック図である。
【００２２】
図に示されるように、カード読取装置１０は、磁気ヘッド１１、該磁気ヘッド１１によって読み出されたデータを表す信号を増幅する増幅部１２、該増幅部１２によって増幅された信号を復調する復調部１３、突当部１４、駆動部１５、及びカード読取装置１０の全体の制御を行う制御部１６を備える。
【００２３】
前記復調部１３が、増幅部１２によって増幅された信号を制御部１６において認識可能な信号に変換（波形を整形）して制御部１６に送信すると、制御部１６は、復調部１３から受信した信号を認識し、認識した信号を内蔵された記憶部に記録したり、上位装置としてのホストコンピュータ２０との間で命令、信号等を互いに伝達したり、駆動部１５を駆動させたりして、カード読取装置１０全体を制御する。
【００２４】
次に、前記構成のカード読取装置１０の動作について説明する。
【００２５】
図６は本発明の第１の実施の形態におけるカード読取装置の動作を示す第１のフローチャート、図７は本発明の第１の実施の形態におけるカード読取装置の動作を示す第２のフローチャート、図８は本発明の第１の実施の形態におけるカード読取装置の第１の状態を示す正面図、図９は本発明の第１の実施の形態におけるカード読取装置の第１の状態を示す平面図、図１０は本発明の第１の実施の形態におけるカード読取装置の第１の状態を示す側面図、図１１は本発明の第１の実施の形態におけるカード読取装置の第２の状態を示す正面図、図１２は本発明の第１の実施の形態におけるカード読取装置の第２の状態を示す平面図、図１３は本発明の第１の実施の形態におけるカード読取装置の第２の状態を示す側面図である。
【００２６】
まず、図８〜１０に示されるように、突当部１４が退避位置に置かれた状態で、利用者が、手動でカード読取装置１０のスロット１７に磁気カード２１を挿入し、通過させると、磁気ヘッド１１と前記磁気ストライプ２１ａ（図２）とが接触し、磁気ヘッド１１が磁気ストライプ２１ａに記録されたデータを読み出す。このとき、磁気ヘッド１１によって読み出されたデータを表す信号は振幅が小さいので、該信号は前記増幅部１２（図１）に送信され、後述される処理に適切なレベルに増幅され、増幅された信号が復調部１３に送信される。そして、該復調部１３は、増幅された信号を、制御部１６において認識可能な信号に変換し、制御部１６に送信する。
【００２７】
続いて、制御部１６は、復調部１３によって変換された信号を受信すると、該信号を前記記憶部に読取データとして記録し、該読取データを記憶部から読み出し、ホストコンピュータ２０に送信する。
【００２８】
次に、ホストコンピュータ２０の図示されないカード不正使用判断処理手段は、カード不正使用判断処理を行い、カード読取装置１０から読取データを受信すると、該読取データに基づいて、盗難カード等の磁気カードが認識されたり、誤った暗証番号が規定の回数連続して入力されたりしたかどうか、すなわち、磁気カード２１が不正に使用されているかどうかを判断する。
【００２９】
そして、ホストコンピュータ２０の図示されない命令送信処理手段は、命令送信処理を行い、読取データを再び取得するように、カード読取装置１０に命令を送信する。このとき、磁気カード２１が不正に使用されている場合、前記命令に、磁気カード２１を回収するように指示する命令を含めて送信する。
【００３０】
また、ホストコンピュータ２０の図示されない通知処理手段は、通知処理を行い、図示されない表示部にメッセージ等を表示し、再びスロット１７に磁気カード２１を通過させるように利用者に指示する。
【００３１】
続いて、利用者が、スロット１７に磁気カード２１を挿入し、再び通過させると、磁気ヘッド１１は磁気ストライプ２１ａに記録されたデータの読出しを開始する。
【００３２】
そして、制御部１６の図示されない命令判断処理手段は、命令判断処理を行い、前記命令に、磁気カード２１を回収するように指示する命令が含まれていたかどうかを判断する。前記命令に、磁気カード２１を回収するように指示する命令が含まれていない場合、磁気ストライプ２１ａに記録されたデータの読出しが終了すると、制御部１６は、前述されたように、記憶部に読取データを記録する。
【００３３】
続いて、制御部１６の図示されないデータ判断処理手段は、データ判断処理を行い、記憶部に最初に記録した読取データと再び記録した読取データとを比較し、読取データが一致するかどうかを判断する。
【００３４】
そして、読取データが一致する場合、制御部１６の図示されない取引処理実行処理手段は、取引処理実行処理を行い、磁気カード２１が不正に使用されているかどうかの照合を終了し、利用者が要求する取引処理（ＡＴＭ等の処理）を実行する。
【００３５】
また、読取データが一致しない場合、前記通知処理手段は、前記表示部に取引処理を中止する旨のメッセージを表示し、利用者に通知する。
【００３６】
これに対して、前記命令に、磁気カード２１を回収するように指示する命令が含まれていた場合、制御部１６の図示されないカード使用阻止処理手段としての回収処理手段は、カード使用阻止処理としての回収処理を行い、磁気カード２１を突当部１４によって固定するために、スロット１７における磁気カード２１の位置を判断する。
【００３７】
ところで、磁気カード２１の磁気ストライプ２１ａに記録されているデータの記録フォーマットは規格で規定されているので、読み出したデータの読出情報としてのビット数Ｎｒに基づいて、スロット１７上において磁気カード２１がどの位置を移動しているのかを判断することができる。
【００３８】
そこで、前記回収処理手段は、データのビット数Ｎｒを読み込むとともに、スロット１７上の突当部１４の位置に対応させてあらかじめ設定された閾値であるビット数Ｎｓ（例えば、４０〔ｂｉｔ〕）を読み込み、前記データのビット数ＮｒがＮｓになったかどうかによって、設定されたビット数Ｎｓのデータの読出しが終了したかどうかを判断する。
【００３９】
そして、設定されたビット数Ｎｓのデータの読出しが終了すると、磁気カード２１は磁気ヘッド１１を通過して突当部１４に到達したと判断されるので、前記回収処理手段は、駆動部１５に駆動信号を送信して駆動し、図１１〜１３に示されるように、突当部１４を前進させて突当位置に置き、磁気カード２１を壁部１７ｃに突き当て、磁気カード２１を固定することによって磁気カード２１の使用を阻止するとともに、磁気カード２１を固定したことをホストコンピュータ２０に通知する。
【００４０】
この固定によって、磁気カード２１は、スロット１７内に留まるので、利用者が抜き取ることができなくなり、磁気カード２１が使用されるのが阻止される。
【００４１】
続いて、前記通知処理手段は、表示部に、「係員が参りますのでお待ち下さい」、「係員をお呼び下さい」等のメッセージを表示し、利用者に係員を呼ぶように促す。
【００４２】
そして、ホストコンピュータ２０からの命令によって、又は係員の操作によって、突当部１４による磁気カード２１の固定の解除が指示されると、制御部１６の図示されない突当解除処理手段は、突当解除処理を行い、駆動部１５に解除信号を送信し、駆動部１５を駆動し、突当部１４を後退させて磁気カード２１の固定を解除し、取引処理を終了する。
【００４３】
このように、磁気カード２１が不正に使用されていると判断されると、突当部１４が前進させられ、磁気カード２１が固定されるので、利用者は、磁気カード２１を抜き取ることができなくなる。したがって、磁気カード２１が使用されるのを阻止することができる。
【００４４】
なお、図１１〜１３において、突当部１４は磁気カード２１を固定する位置に移動した状態であり、カード読取装置１０のスロット１７を磁気カード２１が通過している状態を示す。この状態において、磁気カード２１は突当部１４によって壁部１７ｃに突き当てられているので、抜き取ることができない。したがって、係員の操作によって固定を解除し、不正に使用された磁気カード２１の回収を行うことができる。
【００４５】
次に、フローチャートについて説明する。
ステップＳ１  データが読み出されるのを待機する。データが読み出された場合はステップＳ２に進む。
ステップＳ２  読取データを記録する。
ステップＳ３  ホストコンピュータ２０に読取データを送信する。
ステップＳ４  ホストコンピュータ２０から命令を受信する。
ステップＳ５  磁気カード２１の通過を指示する。
ステップＳ６  データの読出しが開始されるのを待機する。データの読出しが開始された場合はステップＳ７に進む。
ステップＳ７  磁気カード２１の回収が指示されたかどうかを判断する。磁気カード２１の回収が指示された場合はステップＳ１３に、回収が指示されなかった場合はステップＳ８に進む。
ステップＳ８  読取データを記録する。
ステップＳ９  読取データが一致するかどうかを判断する。読取データが一致する場合はステップＳ１０に、読取データが一致しない場合はステップＳ１２に進む。
ステップＳ１０  磁気カード２１の照合を終了する。
ステップＳ１１  利用者が要求する処理を実行し、処理を終了する。
ステップＳ１２  取引処理の中止を利用者に通知し、処理を終了する。
ステップＳ１３  あらかじめ設定されたビット数Ｎｓのデータの読出しが終了する。
ステップＳ１４  突当部１４を前進させ、磁気カード２１を固定する。
ステップＳ１５  磁気カード２１を固定したことをホストコンピュータ２０に通知する。
ステップＳ１６  メッセージを表示し、係員を呼ぶように促す。
ステップＳ１７  突当部１４による固定の解除が指示されるのを待機する。突当部１４による固定の解除が指示された場合はステップＳ１８に進む。
ステップＳ１８  磁気カード２１の固定を解除し、処理を終了する。
【００４６】
ところで、本実施の形態においては、磁気カード２１が突当部１４によって固定されたことを係員が確認することができないので、固定された磁気カード２１が利用者によって強引に引き抜かれた場合、それを認識することができない。
【００４７】
そこで、固定された磁気カード２１が利用者によって強引に引き抜かれた場合、それを認識することができるようにした本発明の第２の実施の形態について説明する。なお、第１の実施の形態と同じ構造を有するものについては、同じ符号を付与し、同じ構造を有することによる発明の効果については同実施の形態の効果を援用する。
【００４８】
図１４は本発明の第２の実施の形態におけるカード読取装置の制御ブロック図である。
【００４９】
この場合、カード読取装置１０には、スロット１７上の所定の位置、本実施の形態においては、カードとしての磁気カード２１の移動方向における突当部１４より下流側の、突当部１４と隣接する箇所に、磁気カード２１を検出するためのカード検出部としてのセンサ部１８が配設される。なお、該センサ部１８には、光学式の反射型センサ、光学式の透過型センサ、接触型のセンサ等を使用することができる。
【００５０】
また、制御部１６は、センサ部１８に接続され、前記第１の実施の形態における機能のほかに、センサ部１８によって磁気カード２１が検出されたことをトリガとして、駆動部１５に駆動信号を送信する機能、及び前記突当部１４によって磁気カード２１が固定された状態をセンサ部１８によって監視し、利用者によって磁気カード２１が強引に引き抜かれた場合に、上位装置としてのホストコンピュータ２０に通知する機能を有する。
【００５１】
次に、前記構成のカード読取装置１０の動作について説明する。
【００５２】
図１５は本発明の第２の実施の形態におけるカード読取装置の動作を示す第１のフローチャート、図１６は本発明の第２の実施の形態におけるカード読取装置の動作を示す第２のフローチャートである。
【００５３】
まず、利用者が、手動でカード読取装置１０のスロット１７に磁気カード２１を挿入し、通過させると、ヘッド部としての磁気ヘッド１１は情報記録部としての磁気ストライプ２１ａに記録されたデータを読み出す。このとき、磁気ヘッド１１によって読み出されたデータの信号は振幅が小さいので、該信号は増幅部１２に送信され、増幅され、増幅された信号が復調部１３に送信される。そして、該復調部１３は、増幅された信号を、制御部１６において認識可能な信号に変換し、制御部１６に送信する。
【００５４】
続いて、制御部１６は、復調部１３において変換された信号を受信すると、該信号を前記記憶部に読取データとして記録する。そして、制御部１６は読取データを記憶部から読み出し、ホストコンピュータ２０に送信する。
【００５５】
次に、前記カード不正使用判断処理手段は、カード読取装置１０から読取データを受信すると、該読取データに基づいて、磁気カード２１が不正に使用されているかどうかを判断する。
【００５６】
そして、ホストコンピュータ２０の前記命令送信処理手段は、読取データを再び取得するように、カード読取装置１０に命令を送信する。このとき、磁気カード２１が不正に使用されている場合、前記命令に、磁気カード２１を回収するように指示する命令を含めて送信する。
【００５７】
また、ホストコンピュータ２０の前記通知処理手段は、再びスロット１７に磁気カード２１を通過させるように利用者に指示する。
【００５８】
続いて、利用者が、スロット１７に磁気カード２１を挿入し、再び通過させると、磁気ヘッド１１は磁気ストライプ２１ａに記録されたデータの読出しを開始する。
【００５９】
そして、制御部１６の前記命令判断処理手段は、前記命令に、磁気カード２１を回収するように指示する命令が含まれていたかどうかを判断する。前記命令に、磁気カード２１を回収するように指示する命令が含まれていない場合、データの読出しが終了すると、制御部１６は、読み出したデータを記憶部に記録する。
【００６０】
制御部１６の前記データ判断処理手段は、読取データが一致するかどうかを判断し、読取データが一致する場合、制御部１６の前記取引処理実行処理手段は、磁気カード２１が不正に使用されているかどうかの照合を終了し、利用者が要求する取引処理（ＡＴＭ等の処理）を実行する。
【００６１】
また、読取データが一致しない場合、前記通知処理手段は、表示部に取引処理を中止する旨のメッセージを表示し、利用者に通知する。
【００６２】
これに対して、前記命令に、磁気カード２１を回収するように指示する命令が含まれていた場合、制御部１６の前記回収処理手段は、スロット１７における磁気カード２１の位置を判断する。
【００６３】
そこで、前記回収処理手段は、データのビット数Ｎｒを読み込むとともに、スロット１７上の突当部１４が配設された位置に対応させてあらかじめ設定されたビット数Ｎｓを読み込み、前記データのビット数ＮｒがＮｓになったかどうかによって、設定されたビット数Ｎｓのデータの読出しが終了したかどうかを判断する。
【００６４】
そして、設定されたビット数Ｎｓのデータの読出しが終了すると、前記回収処理手段は、センサ部１８がオンになったかどうかを判断し、センサ部１８がオンになると、磁気カード２１が磁気ヘッド１１を通過して突当部１４に到達したことが分かるので、駆動部１５に駆動信号を送信して駆動し、突当部１４を前進させ、突当位置において磁気カード２１を壁部１７ｃに突き当て、磁気カード２１を固定する。
【００６５】
続いて、制御部１６の図示されないカード状態判断処理手段としてのカード固定状態判断処理手段は、カード状態判断処理としてのカード固定状態判断処理を行い、磁気カード２１の固定状態を判断する。すなわち、カード固定状態判断処理手段は、前記センサ部１８がオンであるかどうかを判断し、センサ部１８がオンでない場合、磁気カード２１の固定が失敗したと判断し、磁気カード２１の固定が失敗したことをホストコンピュータ２０に通知する。
【００６６】
そして、センサ部１８がオンである場合、制御部１６は磁気カード２１を固定したことをホストコンピュータ２０に通知し、ホストコンピュータ２０において、前記通知処理手段は、「係員が参りますのでお待ち下さい」、「係員をお呼び下さい」等のメッセージを前記表示部に表示し、利用者に係員を呼ぶように促す。
【００６７】
続いて、前記カード固定状態判断処理手段は、前記センサ部１８がオンであるかどうかを判断し、センサ部１８がオンでない場合、磁気カード２１が利用者によって引き抜かれたと判断し、その旨をホストコンピュータ２０に通知する。そして、ホストコンピュータ２０の図示されない警告処理手段は、警告処理を行い、警告音を発生させ、前記通知処理手段は、取引処理を中止する旨を利用者に通知する。
【００６８】
また、センサ部１８がオンである場合、ホストコンピュータ２０からの指示によって、又は係員の操作によって、突当部１４による磁気カード２１の固定の解除の命令が出されると、制御部１６の前記突当解除処理手段は、駆動部１５に解除信号を送信し、駆動部１５を駆動し、突当部１４を後退させて磁気カード２１の固定を解除し、取引処理を終了する。
【００６９】
このように、本実施の形態においては、磁気カード２１が突当部１４によって固定されたことを確認することができるので、何らかの理由で磁気カード２１の固定が失敗したこと、又は固定された磁気カード２１が利用者によって強引に引き抜かれたことを認識することができる。
【００７０】
次に、フローチャートについて説明する。
ステップＳ２１  データが読み出されるのを待機する。データが読み出された場合はステップＳ２２に進む。
ステップＳ２２  読取データを記録する。
ステップＳ２３  ホストコンピュータ２０に読取データを送信する。
ステップＳ２４  ホストコンピュータ２０から命令を受信する。
ステップＳ２５  磁気カード２１の通過を指示する。
ステップＳ２６  データの読出しが開始されるのを待機する。データの読出しが開始された場合はステップＳ２７に進む。
ステップＳ２７  磁気カード２１の回収が指示されたかどうかを判断する。磁気カード２１の回収が指示された場合はステップＳ３３に、回収が指示されなかった場合はステップＳ２８に進む。
ステップＳ２８  読取データを記録する。
ステップＳ２９  読取データが一致するかどうかを判断する。読取データが一致する場合はステップＳ３０に、読取データが一致しない場合はステップＳ３２に進む。
ステップＳ３０  磁気カード２１の照合を終了する。
ステップＳ３１  利用者が要求する処理を実行し、処理を終了する。
ステップＳ３２  取引処理の中止を利用者に通知し、処理を終了する。
ステップＳ３３  あらかじめ設定されたビット数Ｎｓのデータの読出しが終了する。
ステップＳ３４  センサ部１８がオンになる。
ステップＳ３５  突当部１４を前進させ、磁気カード２１を固定する。
ステップＳ３６  センサ部１８がオンであるかどうかを判断する。センサ部１８がオンである場合はステップＳ３８に、センサ部１８がオンでない場合はステップＳ３７に進む。
ステップＳ３７  磁気カード２１の固定が失敗したことをホストコンピュータ２０に通知し、ステップＳ２５に戻る。
ステップＳ３８  磁気カード２１を固定したことをホストコンピュータ２０に通知する。
ステップＳ３９  メッセージを表示し、係員を呼ぶように促す。
ステップＳ４０  センサ部１８がオンであるかどうかを判断する。センサ部１８がオンである場合はステップＳ４４に、センサ部１８がオンでない場合はステップＳ４１に進む。
ステップＳ４１  磁気カード２１が利用者によって引き抜かれたことをホストコンピュータ２０に通知する。
ステップＳ４２  警告音を発生させる。
ステップＳ４３  取引処理の中止を利用者に通知し、処理を終了する。
ステップＳ４４  突当部１４による固定の解除が指示されたかどうかを判断する。突当部１４による固定の解除が指示された場合はステップＳ４５に進み、突当部１４による固定の解除が指示されなかった場合はステップＳ４０に戻る。
ステップＳ４５  磁気カード２１の固定を解除し、処理を終了する。
【００７１】
前記各実施の形態において、回収処理手段は、磁気カード２１が不正に使用されていると判断された場合に、磁気カード２１を固定するようになっているが、突当機構Ｍに代えて、パンチ機構を配設し、磁気カード２１が不正に使用されていると判断された場合に、磁気カード２１にパンチ穴を形成するようにすることができる。この場合、前記パンチ機構によって、不正に使用されていると判断された磁気カード２１の使用を阻止するカード使用阻止部が構成される。
【００７２】
前記各実施の形態においては、カード読取装置１０を単体で使用した場合について説明しているが、本発明を、カード決済端末、ＡＴＭ（現金自動預払機）、ＣＤ（現金自動支払機）等に組み込まれたカード読取装置１０に適用することができる。
【００７３】
なお、本発明は前記各実施の形態に限定されるものではなく、本発明の趣旨に基づいて種々変形させることが可能であり、それらを本発明の範囲から排除するものではない。
【符号の説明】
【００７４】
１０    カード読取装置
１１    磁気ヘッド
１７    スロット
２０    ホストコンピュータ
２１    磁気カード
Ｍ    突当機構
【図１】
2011039980.tif 000003
【図２】
2011039980.tif 000004
【図３】
2011039980.tif 000005
【図４】
2011039980.tif 000006
【図５】
2011039980.tif 000007
【図６】
2011039980.tif 000008
【図７】
2011039980.tif 000009
【図８】
2011039980.tif 000010
【図９】
2011039980.tif 000011
【図１０】
2011039980.tif 000012
【図１１】
2011039980.tif 000013
【図１２】
2011039980.tif 000014
【図１３】
2011039980.tif 000015
【図１４】
2011039980.tif 000016
【図１５】
2011039980.tif 000017
【図１６】
2011039980.tif 000018